(57)【要約】      （修正有）【課題】照明領域の分布を制御できる上、発光モジュールの故障にも対応でき、且つメンテナンスがしやすいモジュール化街灯を提供する。【解決手段】ランプ台座本体１０はランプバー２０に結合されるとともに、第一ソケットと第二ソケットとを備える。第一発光モジュール３０は、第一板体と、第一発光体と、第一プラグとを備える。第一発光体は、第一板体の一側に設けられ、第一プラグも、第一板体に設けられ、第一ソケットに差し込まれて電気的に接続されるとともに、第一発光体と電気的に接続される。第二発光モジュール４０は、第二板体と、第二発光体と、第二プラグとを備える。第二発光体は、第二板体の一側に設けられ、第二プラグも第二板体に設けられ、第二ソケット差し込まれて電気的に接続されるとともに、第二発光体と電気的に接続される。【選択図】図１
0003181431.tif 000002
【実用新案登録請求の範囲】
【請求項１】
ランプ台座本体と、第一発光モジュールと、第二発光モジュールとからなるモジュール化街灯であって、
ランプ台座本体は、ランプバーに結合されるとともに、第一ソケットと第二ソケットとを備え、
第一発光モジュールは、第一板体と、第一発光体と、第一プラグとを備え、
第一発光体は、前記第一板体の一側に設けられ、
第一プラグは、前記第一板体に設けられ、第一プラグは、前記第一発光体に電気的に接続されるとともに、前記第一ソケットに差し込まれて電気的に接続され、
第二発光モジュールは、第二板体と、第二発光体と、第二プラグとを備え、
第二発光体は、前記第二板体の一側に設けられ、
第二プラグは、前記第二板体に設けられ、第二プラグは、前記第二発光体に電気的に接続されるとともに、前記第二ソケットに差し込まれて電気的に接続され、
前記第一発光モジュールと前記第二発光モジュールは、それぞれ、前記第一ソケットと前記第二ソケットに結合され、それにより、前記第一発光モジュールと前記第二発光モジュールによって照らされる領域は異なることを特徴とする、モジュール化街灯。
【請求項２】
前記ランプ台座本体には、さらに、第三ソケットと第四ソケットが設けられることを特徴とする、請求項１に記載のモジュール化街灯。
【請求項３】
前記モジュール化街灯は、さらに、第三発光モジュールと第四発光モジュールを備え、
第三発光モジュールは、第三板体と、第三発光体と、第三プラグとを備え、
第三発光体は、前記第三板体の一側に設けられ、
第三プラグは、前記第三板体に設けられ、第三プラグは、前記第三発光体に電気的に接続されるとともに、前記第三ソケットに差し込まれて電気的に接続され、
第四発光モジュールは、第四板体と、第四発光体と、第四プラグとを備え、
第四発光体は、前記第四板体の一側に設けられ、
第四プラグは、前記第四板体に設けられ、第四プラグは、前記第四発光体に電気的に接続されるともに、前記第四ソケットに差し込まれて電気的に接続され、
前記第三発光モジュールと前記第四発光モジュールは、それぞれ、前記第三ソケットと前記第四ソケットに結合され、それにより、前記第三発光モジュールと前記第四発光モジュールによって照らされる領域は異なることを特徴とする、請求項２に記載のモジュール化街灯。
【請求項４】
前記第一板体と前記第三板体の形状は同じであり、前記第二板体と前記第四板体の形状は同じであることを特徴とする、請求項３に記載のモジュール化街灯。
【請求項５】
前記ランプ台座本体には、さらに、延伸板が設けられ、延伸板は、前記ランプ台座本体内に配置され、前記延伸板には第五ソケットが設けられ、前記延伸板は、前記ランプ台座本体内から引き出されて前記第五ソケットが露出し、前記第五ソケットには、前記第一発光モジュール、或いは、前記第二発光モジュール、或いは、前記第三発光モジュール、或いは、前記第四発光モジュールが差し込まれることを特徴とする、請求項４に記載のモジュール化街灯。
【請求項６】
前記第一発光体及び前記第二発光体及び前記第三発光体及び前記第四発光体は、発光ダイオード（ＬＥＤ）或いは感応式蛍光灯（Ｆｌｕｏｒｅｓｃｅｎｔ  Ｉｎｄｕｃｔｉｏｎ  Ｌａｍｐ）であることを特徴とする、請求項５に記載のモジュール化街灯。
【考案の詳細な説明】
【技術分野】
【０００１】
本考案は街灯に関し、特に複数の発光モジュールを結合したモジュール化街灯に関する。
【背景技術】
【０００２】
街灯は、道路の重要な照明装置であり、主に、自然光線が不足している時、道路に照明を提供する役割を果たす。しかしながら、従来の白熱電球は、光線が集中しすぎる等の多くの欠点をかかえている。しかも、電球が壊れると、暗くなってしまい、道を歩いている人が危険な状態におかれることになる。
【０００３】
また、発光ダイオード（ＬＥＤ）の技術が日増しに成熟してきている。発光ダイオードは、小さい体積、高効率、省エネなどの利点があるため、次第に、従来の白熱電球、水銀灯等の発光体にとって代わり、未来の市場の主流になりつつある。しかしながら、メーカーごとに独特な構造で設計しているため、一旦採用されると、将来このメーカーのものしかメンテナンスで交換することができないため、不公平な状況が生じる。
【考案の概要】
【考案が解決しようとする課題】
【０００４】
上述の問題を解決するために、本考案は、照明領域の分布を制御できる上、発光モジュールの一つが壊れても別の発光モジュールで照らすことができるとともに、メンテナンスがしやすいモジュール化街灯を提供することを目的とする。
【課題を解決するための手段】
【０００５】
上述の目的を達成するために、本考案によるモジュール化街灯は、ランプ台座本体と、第一発光モジュールと、第二発光モジュールとからなる。ランプ台座本体はランプバーに結合されるとともに、第一ソケットと第二ソケットとを備える。第一発光モジュールは、第一板体と、第一発光体と、第一プラグとを備える。第一発光体は、第一板体の一側に設けられ、第一プラグも、第一板体に設けられる。第一プラグは、第一ソケットに差し込まれて電気的に接続されるとともに、第一発光体と電気的に接続される。第二発光モジュールは、第二板体と、第二発光体と、第二プラグとを備える。第二発光体は、第二板体の一側に設けられ、第二プラグも第二板体に設けられる。第二プラグは、第二ソケット差し込まれて電気的に接続されるとともに、第二発光体と電気的に接続される。第一発光モジュールと第二発光モジュールは、それぞれ、第一ソケットと第二ソケットに結合され、それにより、それらが照らす領域が異なるようになる。
【０００６】
また、本考案は、異なる位置の発光モジュールを増やすことにより、照明領域を増やすことができる。
【０００７】
また、本考案は、第一板体と第三板体の形状を同じにすることができるとともに、第二板体と第四板体の形状を同じにすることができるため、生産・製造がしやすく、生産コストを下げることができる。
【０００８】
前記ランプ台座本体には、外側に延伸するように第五ソケットを設けることができ、発光モジュールを増やすことができる。
【考案の効果】
【０００９】
複数の発光モジュールを結合させることで、各発光モジュールがそれぞれ別の領域を照らすため、照明領域の分布を制御することができる。また、発光モジュールが壊れた時、別の発光モジュールで照らし続けることができるため、通行人は道路の状況をはっきり見ることができる。また、発光モジュールの製造方式が簡単であり、特別な構造を必用とせず、メーカーを問わず製造できるため、メンテナンスしやすく、メンテナンス工程の処理に公平性をもたせることができる。
【図面の簡単な説明】
【００１０】
【図１】本考案の実施例を示した斜視図である。
【図２】本考案の実施例を別の角度から見た斜視図である。
【図３】本考案の実施例を前方から見た図である。
【図４】本考案の実施例のランプ台座本体の分解図である。
【図５】本考案の第一発光モジュール（第三発光モジュール）の斜視図である。
【図６】本考案の第一発光モジュール（第三発光モジュール）を別の角度から見た斜視図である。
【図７】本考案の第二発光モジュール（第四発光モジュール）の斜視図である。
【図８】本考案の第二発光モジュール（第四発光モジュール）を別の角度から見た斜視図である。
【図９】本考案の実施例のランプ台座本体を延伸させた時の状態を示した側面図である。
【考案を実施するための形態】
【００１１】
図１から図９を参照する。図１は、本考案の実施例を示した斜視図であり、図２は、本考案の実施例を別の角度から見た斜視図であり、図３は、本考案の実施例を前方から見た図であり、図４は、本考案の実施例のランプ台座本体の分解図であり、図５は、本考案の第一発光モジュール（第三発光モジュール）の斜視図であり、図６は、本考案の第一発光モジュール（第三発光モジュール）を別の角度から見た斜視図であり、図７は、本考案の第二発光モジュール（第四発光モジュール）の斜視図であり、図８は、本考案の第二発光モジュール（第四発光モジュール）を別の角度から見た斜視図であり、図９は、本考案の実施例のランプ台座本体を延伸させた時の状態を示した側面図である。
【００１２】
図１から図８に示すように、本考案によるモジュール化街灯は、ランプ台座本体１０と、第一発光モジュール３０と、第二発光モジュール４０とからなる。
【００１３】
ランプ台座本体１０は、ランプバー２０に結合されるとともに、ランプ台座本体１０には、第一ソケット１１と第二ソケット１２が設けられる。
【００１４】
図５と図６に示すように、第一発光モジュール３０は、第一板体３１と、第一発光体３２と、第一プラグ３３とからなる。第一発光体３２は、第一板体３１の一側に設けられ、第一プラグ３３は第一板体３１に設けられる。第一プラグ３３は、第一発光体３２と電気的に接続されるとともに、第一ソケット１１に差し込まれて電気的に接続される。通電する時、電力は、第一プラグ３３から第一発光体３２に進入し、それにより、第一発光体３２は発光して照明がオンになる。
【００１５】
第二発光モジュール４０は、第二板体４１と、第二発光体４２と、第二プラグ４３とからなる。第二発光体４２は、第二板体４１の一側に設けられ、第二プラグ４３も第二板体４１に設けられる。第二プラグ４３は、第二発光体４２と電気的に接続されるとともに、第二ソケット１２に差し込まれて電気的に接続される。通電する時、電力は、第二プラグ４３から第二発光体４２に進入し、それにより、第二発光体４２は発光して照明がオンになる。
【００１６】
第一発光モジュール３０と第二発光モジュール４０に設定された照明角度と位置により、第一発光モジュール３０と第二発光モジュール４０が照らす領域が異なる。また、第一発光モジュール３０と第二発光モジュール４０の角度の設定を変えることにより、その照明領域を制御することができる。
【００１７】
本実施例は、第一発光モジュール３０と第二発光モジュール４０をそれぞれ異なる領域に照射させることにより、光線の分布を均一にすることができる。また、第一発光モジュール３０、または、第二発光モジュール４０の内の一つが壊れた時、もう一方の発光モジュールが発光し続け照らし続けることができるため、単一の発光源しかなかったという従来の欠点を克服することができる。また、第一発光モジュール３０と第二発光モジュール４０は、本領域に熟知した技術者であれば、直接製造することができるため、交換も容易であり、メンテナンスメーカーが限定されるという問題も生じず、公平の原則を保つことができる。
【００１８】
また、ランプ台座本体１０には、さらに、第三ソケット１３と第四ソケット１４が設けられ、それらに第三発光モジュール５０と第四発光モジュール６０が取り付けられる。その内、第三発光モジュール５０は、第三板体５１と、第三発光体５２と、第三プラグ５３とからなる。第三発光体５２は、第三板体５１の一側に設けられるとともに、第三プラグ５３に電気的に接続され、第三プラグ５３は、第三板体５１に設けられるとともに、第三ソケット１３に差し込まれて電気的に接続される。通電する時は、電力が第三ソケット１３、第三プラグ５３を通って第三発光体５２に進入する。第四発光モジュール６０は、第四板体６１と、第四発光体６２と、第四プラグ６３とを備える。第四発光体６２は、第四板体６１の一側に設けられるとともに、第四プラグ６３に電気的に接続される。第四プラグ６３は、第四板体６１に設けられるとともに、第四ソケット１４に差し込まれて電気的に接続される。電力は、第四ソケット１４、第四プラグ６３を通って第四発光体６２に進入する。
【００１９】
また、第三発光モジュール５０と第四発光モジュール６０が照らす領域は異なる。前述した第一発光モジュール３０及び第二発光モジュール４０と同じ原理で、各種方法により、その照明領域を別々にすることができ、それにより、光線を相互に強めあわせるとともに照明を均一にすることができる。
【００２０】
図６から図８に示すように、第一板体３１と第三板体５１の形状は同じであり、第二板体４１と第四板体６１の形状は同じである。このため、生産・製造しやすく、しかも、互いに共用することができるため、必用とされる備品の数量を減らすことができる。
【００２１】
また、図９に示すように、ランプ台座本体１０には、さらに、ランプ台座本体１０内に配置される延伸板７０が設けられるとともに、延伸板７０には第五ソケット７１が設けられる。延伸板７０は、ランプ台座本体１０内から引っ張り出され、第五ソケット１５は露出し、第一発光モジュール３０或いは第二発光モジュール４０或いは第三発光モジュール５０或いは第四発光モジュール６０を差し込むことができる。以上により、取り付ける状況に応じて  使用する発光モジュールの数量を調整することができ、照明効果を最良化させることができる。
【００２２】
本実施例内で用いられる第一発光体３２、第二発光体４２、第三発光体５２、第四発光体６２は、発光ダイオード（ＬＥＤ）或いは感応式蛍光灯（Ｆｌｕｏｒｅｓｃｅｎｔ  Ｉｎｄｕｃｔｉｏｎ  Ｌａｍｐ）などの発光素子にすることができる。また、第一板体３１、第二板体４１、第三板体５１、第四板体６１上には放熱片等を設けることができる。
【００２３】
本考案では、ランプ台座本体１０に、さらに、光センサー（図示せず）を設けることができ、それにより、各発光モジュールのオンオフを制御することができる。また、太陽エネルギー発電装置或いは熱回収発電装置などの発電装置と結合させることで、自ら電力を生産して各発光モジュールに供給することができる。さらには、出力装置に接続して、その他の機器に提供して使用することができる。
【００２４】
また、各発光モジュールの駆動装置と制御装置と電力変換装置は、各発光モジュールに直接結合して設けられる。それにより、異なるパワーの発光モジュールを同一のランプ台座本体１０上に設けやすくなる。また、或いは、駆動装置と制御装置と電力変換装置を、直接、ランプ台座本体１０或いはランプバー２０に統合させて結合させることで、各発光モジュールの製造過程を簡略化させ、製造コストを減らすことができる。
【符号の説明】
【００２５】
１０      ランプ台座本体
１１      第一ソケット
１２      第二ソケット
１３      第三ソケット
１４      第四ソケット
２０      ランプバー
３０      第一発光モジュール
３１      第一板体
３２      第一発光体
３３      第一プラグ
４０      第二発光モジュール
４１      第二板体
４２      第二発光体
４３      第二プラグ
５０      第三発光モジュール
５１      第三板体
５２      第三発光体
５３      第三プラグ
６０      第四発光モジュール
６１      第四板体
６２      第四発光体
６３      第四プラグ
７０      延伸板
７１      第五ソケット
【図１】
0003181431.tif 000003
【図２】
0003181431.tif 000004
【図３】
0003181431.tif 000005
【図４】
0003181431.tif 000006
【図５】
0003181431.tif 000007
【図６】
0003181431.tif 000008
【図７】
0003181431.tif 000009
【図８】
0003181431.tif 000010
【図９】
0003181431.tif 000011